(57)【要約】      （修正有）【課題】コンパクトにすることができる彫刻刀収納具を提供する。【解決手段】第１壁２と第２壁３を備え、第１壁２及び第２壁３を対向配置させた状態で、内部に複数本の彫刻刀８を収納可能な彫刻刀収納具であって、第１壁２の内側及び第２壁３の内側には、彫刻刀８を収納可能な収納部５、６が設けられている。【選択図】図２
0003206307.tif 000002
【実用新案登録請求の範囲】
【請求項１】
第１壁と第２壁を備え、前記第１壁及び第２壁を対向配置させた状態で、内部に複数本の彫刻刀を収納可能な彫刻刀収納具であって、
前記第１壁の内側及び前記第２壁の内側には、彫刻刀を収納可能な収納部が設けられていることを特徴とする彫刻刀収納具。
【請求項２】
前記収納部には、彫刻刀を独立に挿入可能な挿入部が設けられている請求項１に記載の彫刻刀収納具。
【請求項３】
前記第１壁及び第２壁は、正面視略長方形状に形成され、
前記挿入部は、前記第１壁及び第２壁における短手方向に並設され、
各挿入部に彫刻刀を挿入して前記第１壁に前記第２壁を対向配置した状態で、前記第１壁の挿入部に挿入された彫刻刀の軸線と、前記第２壁の挿入部に挿入された彫刻刀の軸線が、前記第１壁及び第２壁の対向する方向に重なり合わないように構成されている請求項２に記載の彫刻刀収納具。
【考案の詳細な説明】
【技術分野】
【０００１】
本発明は、彫刻刀収納具に関する。
【背景技術】
【０００２】
従来、彫刻刀を収納、保管するための彫刻刀収納具として、特許文献１に記載されるような彫刻刀ケースが知られている。図７に示すように、特許文献１に記載される彫刻刀ケースは、ケース本体１００と、ケース本体１００を被覆する蓋体２００とを備えて構成されている。ケース本体１００は、５本の彫刻刀３００が並設されて収納可能に構成されている。
【先行技術文献】
【特許文献】
【０００３】
【特許文献１】特開２０１５−１８１７４９号公報
【考案の概要】
【考案が解決しようとする課題】
【０００４】
小学校の図画工作の授業では、版画を製作する際に彫刻刀を使用する場合がある。使用者（児童）は机の上に彫刻刀ケースを置き、ケース本体１００から蓋体２００を外して、内部に収納されている彫刻刀３００を取り出して使用する。この場合、従来の彫刻刀ケースでは、ケース本体１００の横にケース本体１００から外した蓋体２００が存在するため、机の面積に対して彫刻刀ケースの占める割合が大きくなり、作業スペースが割譲されて狭くなってしまうといった問題があった。
【０００５】
上記特許文献１では、蓋体２００をケース本体１００に回動可能に取り付け、蓋体２００をケース本体１００の底面にまで回動させて、蓋体２００をケース本体１００の台として使用することができる構成としている。また、蓋体をケース本体の底面に折り畳んで留めることができるようにする彫刻刀ケースも提案されている。しかし、彫刻刀を使用する都度、このような作業を行うことは、使用者（児童）にとって煩わしいものであった。
【０００６】
本考案は、こうした実情に鑑みてなされたものであって、その目的は、彫刻刀収納具をコンパクトにすることである。
【課題を解決するための手段】
【０００７】
上記の目的を達成するための彫刻刀収納具は、第１壁と第２壁を備え、前記第１壁及び第２壁を対向配置させた状態で、内部に複数本の彫刻刀を収納可能な彫刻刀収納具であって、前記第１壁の内側及び前記第２壁の内側には、彫刻刀を収納可能な収納部が設けられている。
【０００８】
上記構成によれば、対向配置される２つの壁のそれぞれに、複数の彫刻刀を分散させて収納することができる。したがって、対向配置される２つの壁の幅を小さくすることができ、彫刻刀収納具をコンパクトにすることができる。
【０００９】
前記収納部には、彫刻刀を独立に挿入可能な挿入部が設けられていることが好ましい。
上記構成によれば、複数の彫刻刀をそれぞれ独立した挿入部に挿入することができる。したがって、彫刻刀を１本ずつ安定して収納することができる。
【００１０】
前記第１壁及び第２壁は、正面視略長方形状に形成され、前記挿入部は、前記第１壁及び第２壁における短手方向に並設され、各挿入部に彫刻刀を挿入して前記第１壁に前記第２壁を対向配置した状態で、前記第１壁の挿入部に挿入された彫刻刀の軸線と、前記第２壁の挿入部に挿入された彫刻刀の軸線が、前記第１壁及び第２壁の対向する方向に重なり合わないように構成されていることが好ましい。
【００１１】
上記構成によれば、第１壁と第２壁が対向配置された状態で、複数の彫刻刀は、その軸線が重なり合わないような状態で収納される。通常、彫刻刀は断面略円形状であるため、軸線が重なり合わないような状態であると、一方の壁に収納された彫刻刀の間に、他方の壁に収納された彫刻刀が入り込むような態様とできる。このため、対向配置される第１壁と第２壁の間の距離を短くすることができる。彫刻刀収納具をよりコンパクトにすることができる。
【考案の効果】
【００１２】
本考案によれば、彫刻刀収納具をコンパクトにすることができる。
【図面の簡単な説明】
【００１３】
【図１】（ａ）、（ｂ）は、本実施形態の彫刻刀収納具を示す斜視図。
【図２】本実施形態の彫刻刀収納具を開いた状態を示す斜視図。
【図３】図２のＡ−Ａ線断面図。
【図４】図１のＢ−Ｂ線断面図。
【図５】（ａ）〜（ｅ）は、本実施形態の彫刻刀収納具の変更例を示す模式断面図。
【図６】本実施形態の彫刻刀収納具の変更例を示す斜視図。
【図７】従来の彫刻刀収納具を示す斜視図。
【考案を実施するための形態】
【００１４】
以下、本考案を具体化した一実施形態を図面に基づいて詳細に説明する。
図１に示すように、本実施形態の彫刻刀収納具１は、略長方形状に形成されて対向配置される第１壁２と第２壁３を備え、第１壁２の一方の長側辺２ａと第２壁３の一方の長側辺３ａが、連結壁４で連結されて構成されている。また、第１壁２の長側辺２ａ以外の３つの側辺近傍と、第２壁３の長側辺３ａ以外の３つの側辺近傍との間には、ファスナー７が配置されている。ファスナー７を閉めることにより、彫刻刀収納具１は、第１壁２、第２壁３、連結壁４、及びファスナー７によって囲まれた略直方体形状となって、内部には、複数本の彫刻刀を収納可能な収納空間が形成される。図２に示すように、ファスナー７を開けると、第１壁２が連結壁４に対して回動するとともに、連結壁４が第２壁３に対して回動し、第１壁２、第２壁３、及び連結壁４はほぼ平面状となる。
【００１５】
図３に示すように、第１壁２、第２壁３、及び連結壁４は、一対の樹脂製軟質シート１ａ、１ｃの間に樹脂製補強材１ｂが積層され、周囲が縫製により結合された板材として形成されている。また、周囲の縫製部分には、ファスナー７が共縫いされている。本実施形態の彫刻刀収納具１は、所謂縫製バッグとして構成されている。
【００１６】
図２に示すように、本実施形態の彫刻刀収納具１は、内部の収納空間に５本の彫刻刀８を収納可能に構成されている。第１壁２の内側には、２本の彫刻刀８を収納可能な収納部５が設けられている。また、第２壁３の内側には、３本の彫刻刀８を収納可能な収納部６が設けられている。
【００１７】
収納される彫刻刀８は、刃体の形状の異なる５種類（丸刀、小丸刀、三角刀、平刀、切出し刀）で構成されている。各彫刻刀８は、断面略円形状の彫刻刀本体８１と、彫刻刀本体８１先端の刃体を覆う保護キャップ８２を備えている。保護キャップ８２が彫刻刀本体８１に装着された状態では、彫刻刀本体８１先端の刃体は完全に覆われ、使用者が刃体に接触しないように構成されている。５種類の彫刻刀８のうち、平刀、及び切出し刀の２種類の彫刻刀８は、第１壁２の内側の収納部５に収納されている。また、５種類の彫刻刀８のうち、丸刀、小丸刀、及び三角刀の３種類の彫刻刀８は、第２壁３の内側の収納部６に収納されている。
【００１８】
図２、図３に示すように、収納部５、６は、長方形状の伸縮性シート材で構成されている。第１壁２の収納部５は、長方形状の伸縮性シート材の長手方向が第１壁２の短手方向に沿うように配置され、長方形状の伸縮性シート材の一対の短辺近傍と、一対の短辺の間の中間部分１箇所との合計３箇所で、第１壁の長辺に沿う縫合線５ａにより、第１壁２の内側（内側の樹脂製軟質シート１ａ）に直接縫合されている。隣り合う縫合線５ａの間では、伸縮性シート材が弛んだ形状となっており、伸縮性シート材の内面と、樹脂製軟質シート１ａの内面との間に空間が形成されている。隣り合う縫合線５ａの間に形成された当該空間が、彫刻刀８を挿入する挿入部５ｂとされる。これにより、第１壁２の収納部５には２つの挿入部５ｂが形成され、２つの挿入部５ｂは第１壁２の短手方向に並設されている。
【００１９】
図２に示すように、第１壁２の収納部５に形成された挿入部５ｂは、挿入された彫刻刀８の軸線Ｐが、第１壁２の長辺に沿うように形成されている。また、図３に示すように、挿入された彫刻刀８の間には、所定の隙間Ｌが存在するように形成されている。
【００２０】
同様に、第２壁３の収納部６は、長方形状の伸縮性シート材の長手方向が第２壁３の短手方向に沿うように配置され、長方形状の伸縮性シート材の一対の短辺近傍と、一対の短辺の間の中間部分２箇所との合計４箇所で、第２壁の長辺に沿う縫合線６ａにより、第２壁３の内側（内側の樹脂製軟質シート１ａ）に直接縫合されている。隣り合う縫合線６ａの間では、伸縮性シート材が弛んだ形状となっており、伸縮性シート材の内面と、樹脂製軟質シート１ａの内面との間に空間が形成されている。隣り合う縫合線６ａの間に形成された当該空間が、彫刻刀８を挿入する挿入部６ｂとされる。これにより、第２壁３の収納部６には３つの挿入部６ｂが形成され、３つの挿入部６ｂは第２壁３の短手方向に並設されている。
【００２１】
図２に示すように、第２壁３の収納部６に形成された挿入部６ｂは、挿入された彫刻刀８の軸線Ｑが、第２壁３の長辺に沿うように形成されている。また、図３に示すように、挿入された彫刻刀８の間には、所定の隙間Ｍが存在するように形成されている。
【００２２】
図４に示すように、彫刻刀収納具１のファスナー７を閉じると、第１壁２と第２壁３が対向配置されて、第１壁２の収納部５に形成された挿入部５ｂと、第２壁３の収納部６に形成された挿入部６ｂも対向配置される。収納部５、６は、挿入部５ｂ、６ｂが対向配置された状態で、第１壁２の挿入部５ｂに挿入された彫刻刀８の軸線Ｐと、第２壁３の挿入部６ｂに挿入された彫刻刀８の軸線Ｑが、第１壁２及び第２壁３の対向する方向に重なり合わないように形成されている。
【００２３】
次に、本実施形態の彫刻刀収納具１の作用について説明する。
図２に示すように、本実施形態の彫刻刀収納具１は、ファスナー７を開くと、第１壁２、連結壁４、第２壁３が並列配置される。第１壁２には、２本の彫刻刀８が収納され、第２壁３には、３本の彫刻刀８が収納されている。ファスナー７を開いた状態で並列配置される第１壁２及び第２壁３には、彫刻刀８が分散して配置され、２つの壁２、３は、ともに彫刻刀８の収納場所として機能する。
【００２４】
図４に示すように、彫刻刀収納具１のファスナー７を閉じて、第１壁２と第２壁３が対向配置された状態では、第１壁２の挿入部５ｂに挿入された彫刻刀８の軸線Ｐと、第２壁３の挿入部６ｂに挿入された彫刻刀８の軸線Ｑが、第１壁２及び第２壁３の対向する方向に重なり合わないように構成されている。また、第１壁２の挿入部５ｂに挿入された彫刻刀８の間には、所定長の隙間Ｌが存在し、第２壁３の挿入部６ｂに挿入された彫刻刀８の間には、所定長の隙間Ｍが存在する。
【００２５】
このため、彫刻刀収納具１のファスナー７を閉じた状態では、第２壁３の収納部６に収納された３本の彫刻刀８の間の隙間Ｍに、第１壁２の収納部５に収納された２本の彫刻刀８がそれぞれ位置する状態となる。また、第１壁２の収納部５に収納された２本の彫刻刀８の間の隙間Ｌに、第２壁３の収納部６に収納された３本の彫刻刀８のうち中央の彫刻刀８が位置し、第１壁２の収納部５に収納された２本の彫刻刀８の外側に、第２壁３の収納部６に収納された３本の彫刻刀８のうち外側の２本の彫刻刀８がそれぞれ位置する状態となる。一方の壁に収納された彫刻刀８の間の隙間が、他方の壁に収納された彫刻刀８の収納空間として機能する。
【００２６】
次に、本実施形態の彫刻刀収納具１の効果について説明する。
（１）本実施形態の彫刻刀収納具１は、ファスナー７を閉じたときに対向配置される第１壁２及び第２壁３に、複数本の彫刻刀８を分散して収納可能としている。このため、彫刻刀収納具１の幅を小さくすることができて、全体の大きさをコンパクトにすることができる。収納性、携帯性にも優れた彫刻刀収納具１とすることができる。
【００２７】
（２）本実施形態の彫刻刀収納具１は、ファスナー７を開いたときに並列配置される第１壁２及び第２壁３に、複数本の彫刻刀８を分散して収納可能としている。このため、彫刻刀収納具１を開いた状態で使用しても、作業スペースが割譲されることを抑制することができる。また、作業スペースを確保するために、蓋を折り返したり、折り畳んだりするといった煩わしい操作が不要である。
【００２８】
（３）本実施形態の彫刻刀収納具１は、第１壁２の挿入部５ｂに挿入された彫刻刀８の間の隙間Ｌが、第２壁３の挿入部６ｂに挿入された彫刻刀８の収納空間として機能し、第２壁３の挿入部６ｂに挿入された彫刻刀８の間の隙間Ｍが、第１壁２の挿入部５ｂに挿入された彫刻刀８の収納空間として機能する。このため、ファスナー７を閉じたときに対向配置される第１壁２と第２壁３の間の距離を小さくすることができて、彫刻刀収納具１全体の大きさをさらにコンパクトにすることができる。
【００２９】
（４）第１壁２の収納部５には、独立した２つの挿入部５ｂが形成されている。また、第２壁３の収納部６には、独立した３つの挿入部６ｂが形成されている。このため、彫刻刀８は１本ずつ、独立した挿入部５ｂ、６ｂに挿入可能である。彫刻刀８を１本ずつ安定して収納、保持することができる。
【００３０】
（５）本実施形態の彫刻刀収納具１は、第１壁２、第２壁３の挿入部５ｂ、６ｂに挿入された彫刻刀８の間に所定長の隙間Ｌ、Ｍが形成されるように挿入部５ｂ、６ｂを構成している。このため、彫刻刀８を取り出しやすくなり、作業性が向上する。
【００３１】
（６）本実施形態の彫刻刀収納具１は、第１壁２と第２壁３に複数本の彫刻刀８を分散して収納している。このため、第１壁２、第２壁３の挿入部５ｂ、６ｂに挿入された彫刻刀８の間に所定長の隙間Ｌ、Ｍが形成されるようにしても、彫刻刀収納具１全体の大きさをコンパクトにすることができる。
【００３２】
（７）本実施形態の彫刻刀収納具１は、一対の樹脂製軟質シート１ａ、１ｃの間に樹脂製補強材１ｂが積層され、周囲が縫製により結合された板材で形成され、ファスナー７で開閉可能に構成されている。このため、構造が簡易で軽量であり、携帯性に優れている。
【００３３】
（８）彫刻刀８は、彫刻刀本体８１と、彫刻刀本体８１先端の刃体を覆う保護キャップ８２を備えている。保護キャップ８２が彫刻刀本体８１に装着された状態では、彫刻刀本体８１先端の刃体は完全に覆われている。このため、一対の樹脂製軟質シート１ａ、１ｃと、樹脂製補強材１ｂが積層された板材を縫製して構成された所謂縫製バッグであっても、彫刻刀８の刃体により傷付けられることが抑制される。また、彫刻刀８の刃体による縫製バッグの傷付きを回避するためのプラスチックトレイを不要とすることができるため、彫刻刀収納具１全体の大きさをコンパクトにすることができる。
【００３４】
（９）本実施形態の彫刻刀収納具１では、第１壁２の収納部５に平刀、及び切出し刀の２種類の彫刻刀８が収納され、第２壁３の収納部６に丸刀、小丸刀、及び三角刀の３種類の彫刻刀８が収納されている。使用頻度の高い丸刀、小丸刀、及び三角刀の彫刻刀８をまとめて収納することで、使い勝手が向上する。
【００３５】
なお、本実施形態は、以下のような別の実施形態に変更してもよい。これらの変更例は適宜組み合わせて実施することができる。
・  本実施形態では、第１壁２と第２壁３を対向配置した状態で、第１壁２の挿入部５ｂに挿入された彫刻刀８の軸線Ｐと、第２壁３の挿入部６ｂに挿入された彫刻刀８の軸線Ｑが、第１壁２及び第２壁３の対向する方向に重なり合わないように構成したが、これに限定されない。図５（ａ）の模式断面図に示すように、軸線Ｐと軸線Ｑが、第１壁２及び第２壁３の対向する方向に重なり合うように挿入部５ｂ、６ｂを形成してもよい。
【００３６】
・  図４では、第１壁２、第２壁３の挿入部５ｂ、６ｂに挿入された彫刻刀８の間の隙間Ｌ、Ｍが、断面略円形状の彫刻刀８の直径より小さい状態を図示したが、隙間Ｌ、Ｍの大きさは適宜設定することができる。例えば、図５（ｂ）に示すように、隙間Ｌ、Ｍを、彫刻刀８の直径とほぼ同じ大きさとしてもよい。この場合、第１壁２の挿入部５ｂに挿入された彫刻刀８（図５（ｂ）における彫刻刀８ａ）が、第２壁３の挿入部６ｂに挿入された彫刻刀８（図５（ｂ）における彫刻刀８ｂ）の隙間に完全に入り込み、それぞれの軸線Ｐ、Ｑが、第１壁２及び第２壁３の短手方向に一致する状態とできる。このため、ファスナー７を閉じたときに対向配置される第１壁２と第２壁３の間の距離をさらに小さくすることができる。
【００３７】
・  本実施形態では、第１壁２の収納部５で、長方形状の伸縮性シート材の中間部分１箇所を縫合線５ａにより縫合し、第２壁３の収納部６で、長方形状の伸縮性シート材の中間部分２箇所を縫合線６ａにより縫合して、独立した挿入部５ｂ、６ｂを形成したが、これに限定されない。図６に示すように、中間部分の縫合線５ａ、６ａを省略して、挿入部５ｂ、６ｂを連続した１つの形状としてもよい。この場合、図５（ｃ）に示すように、隣り合う彫刻刀８間に隙間Ｌ、Ｍが形成されることなくコンパクトに収納される。
【００３８】
・  本実施形態では、内部に５本の彫刻刀８が収納されている場合について説明したが、彫刻刀８の本数はこれに限定されない。また、奇数本、偶数本いずれであってもよい。偶数本の場合、例えば図５（ｄ）に示すような形状で配置されるように挿入部５ｂ、６ｂを形成することができる。
【００３９】
・  本実施形態では、一方の壁に収納された彫刻刀８が、他方の壁に収納された彫刻刀８の隙間に１本ずつ配置されるように挿入部５ｂ、６ｂを形成したが、これに限定されない。図５（ｅ）に示すように、一方の壁に収納された複数本の彫刻刀８が、他方の壁に収納された彫刻刀８の隙間に配置されるようにしてもよい。
【００４０】
・  本実施形態では、彫刻刀収納具１を、一対の樹脂製軟質シート１ａ、１ｃと、樹脂製補強材１ｂが積層された板材を縫製して構成された所謂縫製バッグのみで構成したが、これに限定されない。内部に彫刻刀８を収納可能なものであれば、その材質、形状は問わない。硬質樹脂製のケースで構成されていてもよく、縫製バッグと硬質樹脂製トレイ（プラスチックトレイ）で構成されていてもよい。また、織物や編物等の布製であってもよい。この場合、例えば、一対の布製シート１ａ、１ｃと、樹脂製補強材１ｂが積層された板材として構成することができる。
【００４１】
・  本実施形態では、彫刻刀収納具１を、一対の樹脂製軟質シート１ａ、１ｃと、樹脂製補強材１ｂが積層された板材を縫製して三層構造として構成したが、板材はこの構成に限定されない。樹脂製軟質シート１ａ、１ｃ、及び樹脂製補強材１ｂのうち少なくとも一つを省略して一層構造、或いは二層構造としてもよい。
【００４２】
・  本実施形態では、収納部５、６を長方形状の伸縮性シート材で形成したが、彫刻刀８を収納、固定できるものであればその材質、形状は問わない。
・  本実施形態では、彫刻刀８が保護キャップ８２を備える構成としたが、保護キャップ８２を省略することもできる。
【００４３】
・  本実施形態では、第１壁２及び第２壁３の収納部５、６として、長方形状の伸縮性シート材を、内側の樹脂製軟質シート１ａに直接縫合する構成としたが、内側の樹脂製軟質シート１ａ及び樹脂製補強材１ｂに直接縫合する構成としてもよい。
【００４４】
・  本実施形態では、第１壁２の収納部５に平刀、及び切出し刀の２種類の彫刻刀８が収納され、第２壁３の収納部６に丸刀、小丸刀、及び三角刀の３種類の彫刻刀８が収納される構成としたが、各種の彫刻刀８の収納場所は適宜決定することができる。
【符号の説明】
【００４５】
１…彫刻刀収納具、２…第１壁、３…第２壁、５、６…収納部、５ｂ、６ｂ…挿入部、８…彫刻刀、Ｐ、Ｑ…軸線。
【図１】
0003206307.tif 000003
【図２】
0003206307.tif 000004
【図３】
0003206307.tif 000005
【図４】
0003206307.tif 000006
【図５】
0003206307.tif 000007
【図６】
0003206307.tif 000008
【図７】
0003206307.tif 000009